(57)【要約】【課題】優れた操舵特性を実現しつつ、運転支援制御を効果的に実行できる操舵制御装置を提供する。【解決手段】アシスト指令値演算部は、操舵トルクＴhに基づく第１アシスト成分Ｔa1*と、ピニオン角をピニオン角指令値θp*に追従させる回転角フィードバック制御の実行による第２アシスト成分とに基づいて、モータに発生させるモータトルク、すなわち目標アシスト力に対応したアシスト指令値を演算する。ピニオン角指令値θp*は、理想モデルに基づいて演算された基本ピニオン角成分θp_base*に運転支援制御装置から出力される運転支援ピニオン角成分θp_adas*を加算することで、ピニオン角指令値θp*を演算する。そして、アシスト指令値演算部は、運転支援制御の優先時には、該運転支援制御を優先させない非優先時に比べ、ピニオン角の変化に対する操舵反力の変化の割合が大きくなるように演算する。【選択図】図７
2019025961.tif 000002
【特許請求の範囲】
【請求項１】
モータを駆動源とするアクチュエータにより操舵機構の転舵軸を往復動させるモータトルクが付与される操舵装置を制御対象とし、
前記操舵機構に伝達される操舵トルクに基づいて第１トルク成分を演算する第１トルク成分演算部と、
前記操舵トルク及び前記第１トルク成分に基づき転舵輪の転舵角に換算可能な回転軸の基本回転角成分を演算する基本回転角成分演算部と、
前記基本回転角成分と、外部に設けられた運転支援制御装置から入力される運転支援回転角成分とに基づいて前記回転軸の回転角の目標となる回転角指令値を演算する回転角指令値演算部と、
前記回転角指令値に基づく回転角フィードバック制御を実行して第２トルク成分を演算する第２トルク成分演算部とを備え、
前記第１トルク成分に前記第２トルク成分を足し合わせた値を基礎とするトルク指令値に基づいて前記アクチュエータの作動を制御する操舵制御装置であって、
前記基本回転角成分は、前記運転支援制御装置による運転支援制御の優先時には、該運転支援制御を優先させない非優先時に比べ、前記回転角の変化に対する操舵反力の変化の割合が大きくなるように演算される操舵制御装置。
【請求項２】
請求項１に記載の操舵制御装置において、
前記操舵トルク及び前記第１トルク成分の加算値に基づき前記回転軸に伝達される入力トルクを演算する入力トルク演算部を備え、
前記基本回転角成分演算部は、前記入力トルクに対する前記回転角の理想モデルに基づいて前記基本回転角成分を演算するものであって、
前記理想モデルは、前記運転支援制御の非優先時に用いられる通常理想モデルと、前記運転支援制御の優先時に用いられる運転支援理想モデルとを含み、
前記通常理想モデル及び前記運転支援理想モデルは、回転角に基づくバネ項、回転角速度に基づく粘性項、並びに、前記バネ項及び前記粘性項の各制御出力であるバネ成分及び粘性成分を前記入力トルクから減じた値に基づく慣性項を含んでそれぞれ表され、
前記運転支援理想モデルの前記バネ項を構成するバネ係数は、前記通常理想モデルの前記バネ項を構成するバネ係数よりも大きく設定された操舵制御装置。
【請求項３】
請求項１又は２に記載の操舵制御装置において、
前記回転角に基づいて前記第１トルク成分に対する反力成分を演算する反力成分演算部と、
前記反力成分に乗ずる反力ゲインを演算する反力ゲイン演算部とを備え、
前記反力ゲインは、前記運転支援制御の優先時には、該運転支援制御の非優先時に比べ、大きな値に演算される操舵制御装置。
【請求項４】
請求項３に記載の操舵制御装置において、
前記反力成分演算部は、前記回転角が増加するほど前記反力成分が増加するとともに、前記回転角が大きくなるほど該回転角の変化に対する前記反力成分の変化率の絶対値が小さくなるように該反力成分を演算するものであり、前記運転支援回転角成分と前記回転角との差分に基づいて前記反力成分を演算する操舵制御装置。
【請求項５】
請求項１〜４のいずれか一項に記載の操舵制御装置において、
前記基本回転角成分は、前記運転支援制御の優先時において、前記運転支援回転角成分と前記回転角との差分が閾値以上となった場合には、前記差分が前記閾値未満の場合に比べ、前記回転角の変化に対する操舵反力の変化の割合がより大きくなるように演算される操舵制御装置。
【発明の詳細な説明】
【技術分野】
【０００１】
本発明は、操舵制御装置に関する。
【背景技術】
【０００２】
従来、モータを駆動源とするアクチュエータにより運転者のステアリング操作を補助するようにした操舵装置がある。こうした操舵装置として、操舵トルクに基づく第１トルク成分と、転舵輪の転舵角に換算可能な回転軸の回転角を回転角指令値に追従させる回転角フィードバック制御に基づく第２トルク成分とを足し合わせてトルク指令値を演算し、該トルク指令値に示されるモータトルクが出力されるようにモータを制御するものが知られている。
【０００３】
例えば特許文献１の電動パワーステアリング装置では、入力トルクに対するピニオン角の理想モデルに基づいて回転角指令値であるピニオン角指令値を演算し、回転角フィードバック制御の実行により第２トルク成分を演算する。この理想モデルは、操舵機構が有するバネ成分、粘性成分、及び慣性成分を用いて当該操舵機構をモデル化したものであり、入力トルクにより転舵されて生じる転舵角が運転者の自然な感覚に沿うものとなるように設定されている。このように回転角フィードバック制御を通じて得られる第２トルク成分がトルク指令値に含まれることで、実際の転舵角が回転角指令値に対応する目標転舵角に追従するようになるため、ステアリング操作によって運転者の意図に沿うように転舵輪が転舵される。これにより、転舵角と運転者が感じる操舵反力との関係により示される操舵特性を、運転者の操舵意志を適確に反映した優れたものとすることができる。
【０００４】
また、例えば特許文献２の電動パワーステアリング装置では、操舵トルクに基づく第１トルク成分から操舵角に応じた反力成分を減算した値を最終的な第１トルク成分として演算する。このように第１トルク成分から反力成分が減算されることで、出力されるモータトルクが減少するため、反力成分に応じた操舵感を運転者に与えることができる。そして、同文献では、反力成分に操舵角の変化に対するヒステリシス成分を持たせるとともに、切り込み操舵であるか切り戻し操舵であるかの操舵状態や操舵角等に応じて反力成分を演算することで、ステアリング操作に応じた好適な操舵感を作り上げ、優れた操舵特性を実現している。
【先行技術文献】
【特許文献】
【０００５】
【特許文献１】国際公開第２０１２／１３３５９０号
【特許文献２】特開２０１５−６３２９１号公報
【特許文献３】特開平９−２２１０５３号公報
【発明の概要】
【発明が解決しようとする課題】
【０００６】
ところで、近年では、運転者の運転を支援するための制御を実行する操舵制御装置の実用化が進んでおり、こうした運転支援制御としては、例えば特許文献３に記載されるように、車両が走行中の走行レーンを維持して走行するレーンキープアシスト制御等がある。しかし、上記特許文献１，２等のように操舵トルクに基づく第１トルク成分（基礎成分）に種々の補償成分を加えて優れた操舵特性を実現する操舵制御装置において、併せて運転支援制御を実行する構成の開発が十分になされているとは言い難く、優れた操舵特性を実現しつつ、運転支援制御を効果的に実行できる技術の開発が求められていた。
【０００７】
本発明の目的は、優れた操舵特性を実現しつつ、運転支援制御を効果的に実行できる操舵制御装置を提供することにある。
【課題を解決するための手段】
【０００８】
上記課題を解決する操舵制御装置は、モータを駆動源とするアクチュエータにより操舵機構の転舵軸を往復動させるモータトルクが付与される操舵装置を制御対象とし、前記操舵機構に伝達される操舵トルクに基づいて第１トルク成分を演算する第１トルク成分演算部と、前記操舵トルク及び前記第１トルク成分に基づき転舵輪の転舵角に換算可能な回転軸の基本回転角成分を演算する基本回転角成分演算部と、前記基本回転角成分と、外部に設けられた運転支援制御装置から入力される運転支援回転角成分とに基づいて前記回転軸の回転角の目標となる回転角指令値を演算する回転角指令値演算部と、前記回転角指令値に基づく回転角フィードバック制御を実行して第２トルク成分を演算する第２トルク成分演算部とを備え、前記第１トルク成分に前記第２トルク成分を足し合わせた値を基礎とするトルク指令値に基づいて前記アクチュエータの作動を制御するものであって、前記基本回転角成分は、前記運転支援制御装置による運転支援制御の優先時には、該運転支援制御を優先させない非優先時に比べ、前記回転角の変化に対する操舵反力の変化の割合が大きくなるように演算される。
【０００９】
ここで、回転角フィードバック制御に基づいて第２トルク成分を演算する操舵制御装置において運転支援制御を実行する場合、操舵トルク及び第１トルク成分に基づく基本回転角成分に運転支援を行うための運転支援回転角成分を足し合わせて回転角フィードバック制御の回転角指令値を演算することが考えられる。しかし、基本回転角成分は、優れた操舵特性を実現するように演算されるため、必ずしも高い応答性を実現できているとは言えない。そして、運転支援制御の実行時において、運転者によるステアリング操作の有無にかかわらず、運転支援回転角成分に基づいてモータが駆動されることで、操舵機構に伝達される操舵トルクが変化する。すなわち、回転角指令値に優れた操舵特性を実現するための基本回転角成分が含まれることになる。その結果、優れた操舵特性を実現するようにアクチュエータの作動が制御されることに起因して、運転支援回転角成分に対する実際の回転角の追従性に影響が及ぶおそれがある。
【００１０】
この点を踏まえ、上記構成では、運転支援制御の優先時には、運転支援制御の非優先時に比べ、回転角の変化に対する操舵反力の変化の割合が大きくなるように基本回転角成分を演算する。つまり、回転角と操舵反力との関係により示される操舵特性は、運転支援制御の優先時に高い剛性を示すようになるため、運転支援制御による転舵について高い応答性を実現できる。換言すると、操舵特性として回転角の変化に対する操舵反力の変化の割合が大きくなるということは、大きな操舵トルクが入力されても小さな基本回転角成分が演算されることになり、第２トルク成分に占める基本回転角成分の割合が小さくなる。その結果、優れた操舵特性を実現するための制御量が小さくなるため、運転支援回転角成分に対する実際の回転角の追従性に影響が及ぶことを低減でき、運転支援制御による転舵について高い応答性を実現できる。また、運転支援制御の優先時に操舵特性が高い剛性を示すようにすることで、運転支援制御の非優先時には、優れた操舵特性を実現できる。
【００１１】
上記操舵制御装置において、前記操舵トルク及び前記第１トルク成分の加算値に基づき前記回転軸に伝達される入力トルクを演算する入力トルク演算部を備え、前記基本回転角成分演算部は、前記入力トルクに対する前記回転角の理想モデルに基づいて前記基本回転角成分を演算するものであって、前記理想モデルは、前記運転支援制御の非優先時に用いられる通常理想モデルと、前記運転支援制御の優先時に用いられる運転支援理想モデルとを含み、前記通常理想モデル及び前記運転支援理想モデルは、回転角に基づくバネ項、回転角速度に基づく粘性項、並びに、前記バネ項及び前記粘性項の各制御出力であるバネ成分及び粘性成分を前記入力トルクから減じた値に基づく慣性項を含んでそれぞれ表され、前記運転支援理想モデルの前記バネ項を構成するバネ係数は、前記通常理想モデルの前記バネ項を構成するバネ係数よりも大きく設定されることが好ましい。
【００１２】
上記構成によれば、運転支援制御の優先時にバネ項の係数が大きい運転支援理想モデルに基づいて基本回転角成分を演算する、すなわちバネ成分の大きい理想モデルに基づいて基本回転角成分を演算することで剛性感を高めるため、高い剛性の操舵特性を好適に実現できる。
【００１３】
上記操舵制御装置において、前記回転角に基づいて前記第１トルク成分に対する反力成分を演算する反力成分演算部と、前記反力成分に乗ずる反力ゲインを演算する反力ゲイン演算部とを備え、前記反力ゲインは、前記運転支援制御の優先時には、該運転支援制御の非優先時に比べ、大きな値に演算されることが好ましい。
【００１４】
上記構成によれば、運転支援制御の優先時に反力成分に乗ずるゲインが大きくされるため、基本回転角成分演算部に入力される第１トルク成分が減少することで、小さな基本回転角成分が演算される。つまり、摩擦成分を大きくすることで剛性感を高めるため、高い剛性の操舵特性を好適に実現できる。
【００１５】
上記操舵制御装置において、前記反力成分演算部は、前記回転角が増加するほど前記反力成分が増加するとともに、前記回転角が大きくなるほど該回転角の変化に対する前記反力成分の変化率の絶対値が小さくなるように該反力成分を演算するものであり、前記運転支援回転角成分と前記回転角との差分に基づいて前記反力成分を演算することが好ましい。
【００１６】
上記構成によれば、運転支援制御の優先時に、差分の変化に対して反力成分が大きく変化するように演算される。これにより、初期摩擦成分に対応する剛性感が高められるため、高い剛性の操舵特性を好適に実現できる。
【００１７】
上記操舵制御装置において、前記基本回転角成分は、前記運転支援制御の優先時において、前記運転支援回転角成分と前記回転角との差分が閾値以上となった場合には、前記差分が前記閾値未満の場合に比べ、前記回転角の変化に対する操舵反力の変化の割合がより大きくなるように演算されることが好ましい。
【００１８】
上記構成によれば、運転支援回転角成分と実際の回転角との差分が大きくなった場合、すなわち運転支援制御の実行による転舵に遅れが生じた場合に、より一層高い剛性の操舵特性となるように基本回転角成分を演算するため、運転支援制御による転舵についてより高い応答性を実現できる。
【発明の効果】
【００１９】
本発明によれば、優れた操舵特性を実現しつつ、運転支援制御を効果的に実行できる。
【図面の簡単な説明】
【００２０】
【図１】電動パワーステアリング装置の概略構成図。
【図２】第１実施形態の操舵制御装置のブロック図。
【図３】操舵トルクと基本アシスト成分、及びアシスト勾配を示すグラフ。
【図４】アシスト勾配に基づく位相補償制御の最適化を示すグラフ。
【図５】（ａ）は切り込み操舵時におけるピニオン角反力成分との関係を示すグラフ、（ｂ）は切り戻し操舵時におけるピニオン角と反力成分の関係を示すグラフ。
【図６】サイン操舵した場合のピニオン角と反力成分との関係を示すグラフ。
【図７】第１実施形態のピニオン角指令値演算部のブロック図。
【図８】（ａ）は運転支援制御の非優先時においてサイン操舵した場合の操舵特性を示すグラフ、（ｂ）は運転支援制御の優先時においてサイン操舵した場合の操舵特性を示すグラフ。
【図９】第２実施形態の操舵制御装置のブロック図。
【図１０】ピニオン角と運転支援ピニオン角成分との差分と反力ゲイン（バネ係数）との関係を示すグラフ。
【図１１】第２実施形態のピニオン角指令値演算部のブロック図。
【発明を実施するための形態】
【００２１】
（第１実施形態）
以下、操舵制御装置の第１実施形態を図面に従って説明する。
図１に示すように、制御対象となる操舵装置としての電動パワーステアリング装置（ＥＰＳ）１は、運転者によるステアリングホイール２の操作に基づいて転舵輪３を転舵させる操舵機構４を備えている。また、ＥＰＳ１は、操舵機構４にステアリング操作を補助するためのアシスト力を付与するアクチュエータとしてのＥＰＳアクチュエータ５と、ＥＰＳアクチュエータ５の作動を制御する操舵制御装置６とを備えている。
【００２２】
操舵機構４は、ステアリングホイール２が固定されるステアリングシャフト１１と、ステアリングシャフト１１の回転に応じて軸方向に往復動する転舵軸としてのラック軸１２と、ラック軸１２が往復動可能に挿通される略円筒状のラックハウジング１３とを備えている。なお、ステアリングシャフト１１は、ステアリングホイール２側から順にコラム軸１４、中間軸１５、及びピニオン軸１６を連結することにより構成されている。
【００２３】
ラック軸１２とピニオン軸１６とは、ラックハウジング１３内に所定の交差角をもって配置されており、ラック軸１２に形成されたラック歯１２ａとピニオン軸１６に形成されたピニオン歯１６ａとが噛合されることでラックアンドピニオン機構１７が構成されている。また、ラック軸１２の両端には、タイロッド１８を介して転舵輪３が組付けられた図示しないナックルに連結されている。したがって、ＥＰＳ１では、ステアリング操作に伴うステアリングシャフト１１の回転がラックアンドピニオン機構１７によりラック軸１２の軸方向移動に変換され、この軸方向移動がタイロッド１８を介してナックルに伝達されることにより、転舵輪３の転舵角、すなわち車両の進行方向が変更される。
【００２４】
ＥＰＳアクチュエータ５は、駆動源であるモータ２１と、モータ２１の回転を伝達する伝達機構２２と、伝達機構２２を介して伝達された回転をラック軸１２の往復動に変換する変換機構２３とを備えている。そして、ＥＰＳアクチュエータ５は、モータ２１の回転を伝達機構２２を介して変換機構２３に伝達し、変換機構２３にてラック軸１２の往復動に変換することで操舵機構４にアシスト力を付与する。なお、本実施形態のモータ２１には、例えば三相のブラシレスモータが採用され、伝達機構２２には、例えば一対のプーリ及びベルトからなるベルト機構が採用され、変換機構２３には、例えばボール螺子機構が採用されている。
【００２５】
操舵制御装置６には、車両の車速Ｖを検出する車速センサ３１、及び運転者の操舵によりステアリングシャフト１１に付与された操舵トルクＴhを検出するトルクセンサ３２が接続されている。なお、本実施形態では、ピニオン軸１６の途中にトーションバー２４が設けられており、トルクセンサ３２は、トーションバー２４の捩れに基づいて操舵トルクＴhを検出する。また、操舵制御装置６には、モータ２１の回転角であるモータ角θmを検出する回転角センサ３３が接続されている。なお、操舵トルクＴh及びモータ角θmは、一方向（本実施形態では、右）に操舵した場合に正の値、他方向（本実施形態では、左）に操舵した場合に負の値として検出する。
【００２６】
さらに、操舵制御装置６は、車内ネットワーク４１を介して操舵制御装置６の外部に設けられた運転支援制御装置４２と通信可能に接続されている。本実施形態の運転支援制御装置４２は、運転支援制御として、例えば車両が走行中の走行レーンを維持して走行し易くなるように運転者のステアリング操作を支援するレーンキープ制御を実行する。運転支援制御装置４２は、レーンキープ制御の実行時において、カメラ４３により撮像される画像データに基づいて車両が車線内の走行を維持し得る理想的な転舵角を演算し、この理想的な転舵角と転舵輪３の実際の転舵角との偏差に応じた運転支援回転角成分としての運転支援ピニオン角成分θp_adas*を演算する。また、運転支援制御装置４２には、車両の運転席近傍等に設けられる運転支援制御を実行するための操作スイッチ４４に接続されている。運転支援制御装置４２は、操作スイッチ４４のオンオフに応じて運転支援制御としてレーンキープ制御を実行し、該運転支援を実現するための運転支援ピニオン角成分θp_adas*及び運転支援制御を優先させる旨を示す優先信号Ｓprを操舵制御装置６に出力する。
【００２７】
そして、操舵制御装置６は、これら各センサから入力される各状態量を示す信号及び運転支援制御装置４２から車内ネットワーク４１を介して入力される信号に基づいて、モータ２１に駆動電力を供給することにより、ＥＰＳアクチュエータ５の作動を制御する。つまり、操舵制御装置６は、各信号に基づいてアシスト力を操舵機構４に付与するアシスト制御を実行する。
【００２８】
図２に示すように、操舵制御装置６は、モータ制御信号を出力するマイコン５１と、モータ制御信号に基づいてモータ２１に駆動電力を供給する駆動回路５２とを備えている。なお、本実施形態の駆動回路５２には、複数のスイッチング素子（例えば、ＦＥＴ等）を有する周知のＰＷＭインバータが採用されている。以下に示す各制御ブロックは、マイコン５１が実行するコンピュータプログラムにより実現されるものであり、所定のサンプリング周期（検出周期）で各状態量を検出する。マイコン５１では、所定の演算周期毎に以下の各制御ブロックに示される各演算処理が実行されて、モータ制御信号を生成する。そして、モータ制御信号が駆動回路５２に出力されることにより、モータ２１にモータ制御信号に応じた駆動電力が供給され、ＥＰＳアクチュエータ５の作動が制御される。
【００２９】
詳しくは、マイコン５１には、上記車速Ｖ、操舵トルクＴh、モータ角θm、運転支援ピニオン角成分θp_adas*及び優先信号Ｓprが入力される。また、マイコン５１には、駆動回路５２と各相のモータコイルとの間の接続線５３に設けられた電流センサ５４により検出されるモータ２１の各相電流値Ｉが入力される。なお、図２では、説明の便宜上、各相の接続線及び各相の電流センサ５４をそれぞれ１つにまとめて図示している。そして、マイコン５１は、これら各状態量に基づいてモータ制御信号を出力する。
【００３０】
より詳しくは、マイコン５１は、トルク指令値としてのアシスト指令値Ｔa*を演算するアシスト指令値演算部６１と、アシスト指令値Ｔa*に対応した電流指令値Ｉd*,Ｉq*を演算する電流指令値演算部６２と、電流指令値Ｉd*,Ｉq*に基づいてモータ制御信号を生成するモータ制御信号生成部６３とを備えている。また、マイコン５１は、モータ角θmに基づいてピニオン軸１６における上記トーションバー２４よりも転舵輪３側の部分の回転角（ピニオン角θp）を演算（検出）するピニオン角演算部６４を備えている。なお、ピニオン角演算部６４は、モータ２１が伝達機構２２、変換機構２３、ラック軸１２及びラックアンドピニオン機構１７を介してステアリングシャフト１１に機械的に連結されており、モータ角θmとステアリングシャフト１１の回転角との間に相関関係があることを利用して、モータ角θmからピニオン角θpを演算する。
【００３１】
アシスト指令値演算部６１は、後述するように操舵トルクＴhに基づく第１トルク成分としての第１アシスト成分Ｔa1*と、ピニオン角θpをピニオン角指令値θp*に追従させる回転角フィードバック制御の実行に基づく第２トルク成分としての第２アシスト成分Ｔa2*との加算値に基づいて、モータ２１に発生させるモータトルク、すなわち目標アシスト力に対応したアシスト指令値Ｔa*を演算する。
【００３２】
電流指令値演算部６２は、アシスト指令値Ｔa*に基づいて、モータ２１の駆動電流の目標値である電流指令値Ｉd*,Ｉq*を演算する。本実施形態では、電流指令値演算部６２は、ｄ／ｑ座標系におけるｑ軸上のｑ軸電流指令値Ｉq*を演算し、ｑ軸電流指令値Ｉq*をモータ制御信号生成部６３に出力する。なお、ｄ軸上のｄ軸電流指令値Ｉｄ＊はゼロに設定されており、電流指令値演算部６２は、ｄ軸電流指令値Ｉd*もモータ制御信号生成部６３に出力する。
【００３３】
モータ制御信号生成部６３は、電流指令値Ｉd*,Ｉq*にモータ２１の各相電流値Ｉを追従させる電流フィードバック制御を実行することにより、モータ制御信号を生成し、駆動回路５２に出力する。具体的には、モータ制御信号生成部６３には、ｄ軸電流指令値Ｉd*及びｑ軸電流指令値Ｉq*に加え、各相電流値Ｉ及びモータ角θmが入力される。モータ制御信号生成部６３は、モータ角θmに基づいて各相電流値Ｉをｄ／ｑ座標上に写像することにより、ｄ／ｑ座標系におけるモータ２１の実際の電流値であるｄ軸電流値及びｑ軸電流値を演算する。そして、モータ制御信号生成部６３は、ｄ軸電流値をｄ軸電流指令値Ｉd*に追従させるべく、またｑ軸電流値をｑ軸電流指令値Ｉq*に追従させるべく、それぞれの偏差に基づく電流フィードバック制御を行うことによりモータ制御信号を生成する。このモータ制御信号が駆動回路５２に出力されることによりモータ２１にモータ制御信号に応じた駆動電力が供給され、モータ２１（ＥＰＳアクチュエータ５）からアシスト指令値Ｔａ＊に応じたモータトルクがアシスト力としてステアリングシャフト１１に付与される。
【００３４】
次に、アシスト指令値Ｔa*の演算について詳細に説明する。
アシスト指令値演算部６１は、アシスト指令値Ｔa*（第１アシスト成分Ｔa1*）の基礎成分である基本アシスト成分Ｔas*を演算する基本アシスト成分演算部７１と、操舵トルクＴhの位相を遅らせる位相補償制御部７２を備えている。基本アシスト成分演算部７１は、位相補償制御部７２による位相補償後の操舵トルクＴh´及び車速Ｖに基づいて、基本アシスト成分Ｔas*を演算する。
【００３５】
図３に示すように、基本アシスト成分演算部７１は、操舵トルクＴh´の絶対値が大きいほど、また車速Ｖが小さいほど、より大きな絶対値となる基本アシスト成分Ｔas*を演算する。特に、操舵トルクＴh´と基本アシスト成分Ｔas*との関係では、操舵トルクＴh´が大きいほど、操舵トルクＴh´の変化に対する基本アシスト成分Ｔas*の変化の割合が大きくなるように設定されている。すなわち、基本アシスト成分演算部７１は、操舵トルクＴh´が大きいほど、接線Ｌ１，Ｌ２の傾きで表されるアシスト勾配Ｒagが大きくなるように基本アシスト成分Ｔas*を演算する。
【００３６】
図２に示すように、基本アシスト成分演算部７１は、操舵トルクＴh´及び車速Ｖに応じたアシスト勾配Ｒagを位相補償制御部７２に出力する。位相補償制御部７２は、アシスト勾配Ｒagに基づいて、位相補償制御の特性（フィルタ係数）を変更する。
【００３７】
具体的には、図４に示すように、位相補償制御部７２は、アシスト勾配Ｒagの上昇に応じて、ゲインを低減させるように、位相補償の特性を変更する。このように位相補償の特性を変更することで、上記モータ制御信号生成部６３による電流フィードバック制御の実行により振動の発生が抑えられ、制御の安定性を確保しつつ、電流制御の応答性を高めて、良好な操舵フィーリングを実現している。
【００３８】
図２に示すように、アシスト指令値演算部６１は、ステアリングシャフト１１に伝達される操舵トルクＴh（第１アシスト成分Ｔa1*）に対する反力成分Ｔc*を演算する反力成分演算部７３を備えている。反力成分演算部７３は、ピニオン角θp、車速Ｖ及び運転支援ピニオン角成分θp_adas*に基づいて反力成分Ｔc*を演算する。
【００３９】
図５（ａ）に示すように、反力成分演算部７３は、切り込み操舵時には、ピニオン角θpが大きくなるほど、反力成分Ｔc*が大きくなるとともに、ピニオン角θpに対する反力成分Ｔc*の変化率の絶対値が小さくなるように反力成分Ｔc*を演算する。また、図５（ｂ）に示すように、反力成分演算部７３は、切り戻し操舵時には、ピニオン角θpに比例して反力成分Ｔc*が大きくなるように反力成分Ｔc*を演算する。
【００４０】
そして、反力成分演算部７３は、操舵方向の変化や切り込み操舵であるか切り戻し操舵であるかの操舵状態等に基づいて、図５に示すマップのピニオン角θpの原点位置を変更して反力成分Ｔc*を演算する。これにより、図６に示すように、ステアリングホイール２を一定周波数で周期的に切り込み操舵及び切り戻し操舵を繰り返し行うサイン操舵した際において、反力成分演算部７３は、ピニオン角θpの変化に対してヒステリシス特性を有する反力成分Ｔc*を演算する。なお、こうしたヒステリシス特性を有する反力成分Ｔc*の演算の詳細については、例えば上記特許文献２を参照されたい。
【００４１】
図２に示すように、アシスト指令値演算部６１は、車速Ｖに基づいて、反力成分Ｔc*に乗ずる反力ゲインＧを演算する反力ゲイン演算部７４を備えている。反力ゲイン演算部７４は、例えば車速Ｖが大きくなるほど、その絶対値が小さくなる、すなわち反力成分Ｔc*を小さくするような反力成分Ｔc*を演算する。反力ゲイン演算部７４により演算された反力ゲインＧは、乗算器７５に入力される。そして、乗算器７５は、反力成分Ｔc*に反力ゲインＧを乗じて最終的な反力成分Ｔc**を演算する。
【００４２】
基本アシスト成分Ｔas*及び最終的な反力成分Ｔc**は、減算器７６にそれぞれ入力される。そして、減算器７６（アシスト指令値演算部６１）は、基本アシスト成分Ｔas*から反力成分Ｔc**を減算して第１アシスト成分Ｔa1*を演算する。これにより、基本アシスト成分Ｔas*から減算される反力成分Ｔc**の分だけ、アシスト指令値Ｔa*、ひいてはｑ軸電流指令値Ｉq*が減少する。つまり、反力成分Ｔc**の分だけ、操舵機構４に付与されるアシスト力が減少する。その結果、ステアリングホイール２の操作に必要とされる操舵トルクＴhが増加することとなり、反力成分Ｔc**に応じた操舵感が摩擦として運転者に付与される。
【００４３】
アシスト指令値演算部６１は、第１アシスト成分Ｔa1*、操舵トルクＴh、運転支援ピニオン角成分θp_adas*及び優先信号Ｓprに基づいて、ピニオン角指令値θp*を演算するピニオン角指令値演算部７７を備えている。なお、ピニオン角指令値θp*は、転舵輪３の舵角に換算可能な回転軸の回転角指令値として演算される。
【００４４】
図７に示すように、第１アシスト成分Ｔa1*及び操舵トルクＴhは、入力トルク演算部としての加算器８１にそれぞれ入力される。そして、加算器８１は、第１アシスト成分Ｔa1*と操舵トルクＴhとを加算した値をピニオン軸１６に伝達される入力トルクＴp*として演算する。ピニオン角指令値演算部７７は、入力トルクＴp*により回転するピニオン軸１６の理想モデル（入力トルク・回転角モデル）に基づいて、基本回転角成分としての基本ピニオン角成分θp_base*を演算する基本ピニオン角成分演算部８２を備えている。理想モデルは、入力トルクＴp*が、次式（１）で表されることを利用したモデルである。
【００４５】
Ｔp*＝Ｊθp_base*’’＋Ｃθp_base*’＋Ｋθp_base*    …（１）
ここで、慣性係数Ｊは、ＥＰＳの慣性をモデル化したものであり、粘性係数Ｃは、ＥＰＳの摩擦等をモデル化したものであり、バネ係数Ｋは、ＥＰＳが搭載される車両のサスペンションやホールアライメント等の仕様をモデル化したものである。このように、入力トルクＴp*は、基本ピニオン角成分θp_base*の二階時間微分値θp_base*’’（基本ピニオン角加速度成分αp_base*）に慣性係数Ｊを乗じた慣性項、基本ピニオン角成分θp_base*の一階時間微分値θp_base*’（基本ピニオン角速度成分ωp_base*）に粘性係数Ｃを乗じた粘性項、及び基本ピニオン角成分θp_base*にバネ係数Ｋを乗じたバネ項をそれぞれ加算することにより表される。つまり、慣性項は、バネ項及び粘性項の各制御出力であるバネ成分及び粘性成分を入力トルクＴp*から減じた値に基づくものである。
【００４６】
具体的には、基本ピニオン角成分演算部８２は、慣性項に対応する慣性制御演算部８３、粘性項に対応する粘性制御演算部８４、及びバネ項に対応するバネ特性制御演算部８５を有する基本ピニオン角成分演算部８２を備えている。
【００４７】
入力トルクＴp*は、粘性制御演算部８４から出力される粘性成分Ｔvi*、及びバネ特性制御演算部８５から出力されるバネ成分Ｔsp*とともに、減算器８６に入力される。減算器８６は、入力トルクＴp*から粘性成分Ｔvi*及びバネ成分Ｔsp*を減算した値（Ｔp**）を慣性制御演算部８３に出力する。慣性制御演算部８３は、減算器８６から出力された値Ｔp**に基づいて、基本ピニオン角加速度成分αp_base*を演算する。
【００４８】
基本ピニオン角加速度成分αp_base*は、積分器８７に入力される。積分器８７は、基本ピニオン角加速度成分αp_base*を積分することにより基本ピニオン角速度成分ωp_base*を演算する。基本ピニオン角速度成分ωp_base*は、粘性制御演算部８４及び積分器８８に入力される。粘性制御演算部８４は、基本ピニオン角速度成分ωp_base*に基づいて粘性成分Ｔvi*を演算し、上記のように減算器８６に出力する。積分器８８は、基本ピニオン角速度成分ωp_base*を積分することにより基本ピニオン角成分θp_base*を演算する。基本ピニオン角成分θp_base*は、バネ特性制御演算部８５及び加算器８９に入力される。バネ特性制御演算部８５は、基本ピニオン角成分θp_base*に基づいてバネ成分Ｔsp*を演算し、上記のように減算器８６に出力する。
【００４９】
基本ピニオン角成分θp_base*及び運転支援制御装置４２から出力される運転支援ピニオン角成分θp_adas*は、加算器８９に入力される。加算器８９（ピニオン角指令値演算部７７）は、基本ピニオン角成分θp_base*と運転支援ピニオン角成分θp_adas*とを加算した値をピニオン角指令値θp*として演算する。なお、運転支援制御装置４２が運転支援制御を実行しない非優先時は、運転支援ピニオン角成分θp_adas*がゼロであるため、ピニオン角指令値θp*は基本ピニオン角成分θp_base*と等しくなる。
【００５０】
図２に示すように、アシスト指令値演算部６１は、ピニオン角指令値演算部７７から出力されるピニオン角指令値θp*にピニオン角θpを追従させる回転角フィードバック制御の実行により第２アシスト成分Ｔa2*を演算する第２トルク成分演算部としてのピニオン角Ｆ／Ｂ制御部９１を備えている。ピニオン角Ｆ／Ｂ制御部９１は、ピニオン角指令値θp*とピニオン角θpとの間の偏差に基づく回転角フィードバック制御演算を行うことにより、第２アシスト成分Ｔa2*を演算する。
【００５１】
第２アシスト成分Ｔa2*は、第１アシスト成分Ｔa1*とともに加算器９２に入力される。そして、加算器９２（アシスト指令値演算部６１）は、第１及び第２アシスト成分Ｔa１*，Ｔa2*を加算してアシスト指令値Ｔa*を生成し、上記電流指令値演算部６２に出力する。
【００５２】
このように回転角フィードバック制御を通じて得られる第２アシスト成分Ｔa2*がアシスト指令値Ｔa*に含まれることで運転者の意図に沿うように転舵輪３が転舵されるとともに、第１アシスト成分Ｔa1*から反力成分Ｔc*が減算されることでステアリング操作に応じた好適な操舵感が作り上げられ、優れた操舵特性が実現されている。
【００５３】
次に、優れた操舵特性を実現しつつ、運転支援制御を効果的に実行するための構成について説明する。
ここで、基本ピニオン角成分θp_base*は、優れた操舵特性を実現するように演算されるため、必ずしも高い応答性を実現できているとは言えない。一方、運転支援制御の実行時において、運転者によるステアリング操作の有無にかかわらず、運転支援ピニオン角成分θp_adas*に基づいてモータ２１が駆動されることで、操舵機構４に伝達される（トルクセンサ３２により検出される）操舵トルクＴhが変化する。すなわち、ピニオン角指令値θp*に優れた操舵特性を実現するための基本ピニオン角成分θp_base*が含まれることになる。その結果、優れた操舵特性を実現するようにＥＰＳアクチュエータ５の作動が制御されることに起因して、運転支援ピニオン角成分θp_adas*に対する実際のピニオン角θpの追従性に影響が及ぶおそれがある。
【００５４】
この点を踏まえ、本実施形態のマイコン５１は、運転支援制御の優先時には、運転支援制御の非優先時に比べ、ピニオン角θpの変化に対する操舵反力（又はピニオン軸１６に伝達されるピニオン軸トルクＴp）の変化の割合が大きくなるように基本ピニオン角成分θp_base*を演算する。つまり、マイコン５１は、ピニオン角θpと操舵反力との関係により示される操舵特性が運転支援制御の優先時に高い剛性を示すように基本ピニオン角成分θp_base*を演算する。
【００５５】
詳しくは、図２に示すように、反力ゲイン演算部７４には、優先信号Ｓprが入力される。反力ゲイン演算部７４は、優先信号Ｓprに基づいて運転支援制御の優先時か否かを判断し、運転支援制御の優先時、すなわち運転支援制御装置４２が運転支援制御を実行する旨の優先信号Ｓprが入力される場合には、運転支援制御の非優先時よりも大きな値を有する反力ゲインＧを演算する。具体的には、運転支援制御の非優先時には、反力ゲインＧとして「Ｇbase」を用い、運転支援制御の優先時には、反力ゲインＧとして「Ｇbase」よりも大きな値の「Ｇadas」を用いる。これにより、乗算器７５から出力される最終的な反力成分Ｔc*が、運転支援制御の非優先時よりも大きく補正される。
【００５６】
また、反力成分演算部７３は、運転支援制御の優先時には、運転支援制御装置４２から運転支援ピニオン角成分θp_adas*が入力される。そして、反力成分演算部７３は、運転支援ピニオン角成分θp_adas*とピニオン角θpとの差分Δθpをピニオン角θpとして上記図５に示すマップを参照することにより反力成分Ｔc*を演算する。このように差分Δθpに基づいて反力成分Ｔc*を演算することにより、反力成分演算部７３は、切り込み操舵時にピニオン角θpの絶対値が小さな領域の反力成分Ｔc*を演算する。つまり、反力成分演算部７３により演算される反力成分Ｔc*は、差分Δθpの変化に対して大きく変化するようになる。なお、運転支援制御の非優先時には、運転支援制御装置４２により運転支援ピニオン角成分θp_adas*が演算されない（ゼロ）であるため、非優先時にも反力成分演算部７３が運転支援ピニオン角成分θp_adas*とピニオン角θpとの差分Δθpに基づいて反力成分Ｔc*が演算してよい。
【００５７】
また、図２及び図７に示すように、基本ピニオン角成分演算部８２（バネ特性制御演算部８５）には、優先信号Ｓprが入力される。基本ピニオン角成分演算部８２は、優先信号Ｓprに基づいて運転支援制御の優先時か否かを判断し、運転支援制御の優先時には、運転支援制御の非優先時よりも、大きな値のバネ係数Ｋを用いて基本ピニオン角成分θp_base*を演算する。具体的には、運転支援制御の非優先時には、バネ係数Ｋとして「Ｋbase」を用い、運転支援制御の優先時には、バネ係数Ｋとして「Ｋbase」よりも大きな値の「Ｋadas」を用いる。なお、上記（１）式のバネ係数Ｋを「Ｋbase」とした理想モデルが通常理想モデルに相当し、バネ係数Ｋを「Ｋadas」とした理想モデルが運転支援理想モデルに相当する。
【００５８】
これにより、図８（ａ），（ｂ）に示すように、ステアリングホイール２を一定周波数でサイン操舵した際において、ピニオン角θpと操舵反力との関係により示される操舵特性は、運転支援制御の優先時には非優先時に比べ、高い剛性を示すようになる。
【００５９】
以上記述したように、本実施形態によれば、以下の作用効果を奏することができる。
（１）図８に示すように操舵特性が運転支援制御の優先時に高い剛性を示すようになるため、運転支援制御による転舵について高い応答性を実現できる。換言すると、操舵特性としてピニオン角θpの変化に対する操舵反力の変化の割合が大きくなるということは、大きな操舵トルクＴhが入力されても小さな基本ピニオン角成分θp_base*が演算されることになり、第２アシスト成分Ｔa2*に占める基本ピニオン角成分θp_base*の割合が小さくなる。つまり、優れた操舵特性を実現するための制御量が小さくなるため、運転支援ピニオン角成分θp_adas*に対する実際のピニオン角θpの追従性に影響が及ぶことを低減でき、運転支援制御による転舵について高い応答性を実現できる。このように運手支援制御の優先時には、非優先時に比べて操舵特性が高い剛性を示すように演算される基本ピニオン角成分θp_base*に基づいてＥＰＳアクチュエータ５の作動を制御することで、運転者に与える操舵フィーリングよりも運転支援制御による転舵についての追従性が優先される。
【００６０】
また、運転支援制御の優先時にのみ操舵特性が高い剛性を示すようにすることで、運転支援制御の非優先時には、優れた操舵特性を実現できる。このように運手支援制御の非優先時には、優先時に比べて操舵特性が低い剛性を示すように演算される基本ピニオン角成分θp_base*に基づいてＥＰＳアクチュエータ５の作動を制御することで、転舵についての追従性よりも運転者に与える操舵フィーリングが優先される。
【００６１】
（２）運転支援制御の優先時にバネ係数Ｋが大きい運転支援理想モデルに基づいて基本ピニオン角成分θp_base*を演算するようにした。つまり、バネ成分の大きい理想モデルに基づいて基本ピニオン角成分θp_base*を演算することで剛性感を高めるため、高い剛性の操舵特性を好適に実現できる。
【００６２】
（３）運転支援制御の優先時に反力成分Ｔc*に乗ずる反力ゲインＧの値を大きくし、基本ピニオン角成分演算部８２に入力される第１アシスト成分Ｔa1*を減少させることで、小さな基本ピニオン角成分θp_base*を演算するようにした。つまり、摩擦成分を大きくすることで剛性感を高めるため、高い剛性の操舵特性を好適に実現できる。
【００６３】
（４）反力成分演算部７３は、ピニオン角θpと運転支援ピニオン角成分θp_adas*との差分Δθpに基づいて反力成分Ｔc*を演算するようにしたため、運転支援制御の優先時に切り込み操舵する際には、差分Δθpの変化に対して反力成分Ｔc*が大きく変化するように演算される。これにより、初期摩擦成分に対応する剛性感が高められるため、高い剛性の操舵特性を好適に実現できる。
【００６４】
（第２実施形態）
次に、操舵制御装置の第２実施形態を図面に従って説明する。なお、説明の便宜上、同一の構成については上記第１実施形態と同一の符号を付してその説明を省略する。
【００６５】
本実施形態の操舵制御装置６は、運転支援制御の優先時において、ピニオン角θpと運転支援ピニオン角成分θp_adas*との差分Δθpの絶対値が閾値Δθth以上となった場合には、差分Δθpの絶対値が閾値Δθth未満の場合に比べ、ピニオン角θpの変化に対する操舵反力の変化の割合がより大きくなるように基本ピニオン角成分θp_base*を演算する。
【００６６】
図９に示すように、反力ゲイン演算部７４には、車速Ｖ及び優先信号Ｓprに加えて、ピニオン角θp及び運転支援ピニオン角成分θp_adas*が入力される。反力ゲイン演算部７４は、ピニオン角θpと運転支援ピニオン角成分θp_adas*との差分Δθpを演算し、差分Δθpに基づいて運転支援制御の優先時における反力ゲインＧ（Ｇadas）の値がより大きくなるように演算する。
【００６７】
具体的には、図１０に示すように、反力成分演算部７３は、差分Δθpが閾値Δθth未満の場合には、反力ゲインＧadasを反力ゲインＧbaseよりも大きな一定値とし、差分Δθpが閾値Δθth以上の場合には、差分Δθpの増加に伴って一定割合で反力ゲインＧadasの値を大きくする。そして、反力ゲインＧadasが上限値Ｇlimに達した後は、差分Δθpの絶対値がそれ以上大きくなっても反力ゲインＧadasを上限値Ｇlimに維持する。
【００６８】
また、図１１に示すように、バネ特性制御演算部８５には、基本ピニオン角成分θp_base*及び優先信号Ｓprに加えて、ピニオン角θp及び運転支援ピニオン角成分θp_adas*が入力される。バネ特性制御演算部８５は、ピニオン角θpと運転支援ピニオン角成分θp_adas*との差分Δθpを演算し、差分Δθpに基づいて運転支援制御の優先時におけるバネ係数Ｋ（Ｋadas）の値がより大きくなるように変更する。なお、バネ特性制御演算部８５は、反力成分演算部７３による反力ゲインＧの演算と同様の傾向でバネ係数Ｋの値を変更するため、図１０のグラフの縦軸及び横軸にそれぞれ括弧付きの符号を付し、その詳細な説明を省略する。
【００６９】
次に、本実施形態の効果について記載する。なお、本実施形態では、上記第１実施形態の（１）〜（４）の作用効果に加えて以下の作用効果を奏することができる。
（５）差分Δθpが閾値Δθth以上に大きくなった場合、すなわち運転支援制御の実行による転舵に遅れが生じた場合に、差分Δθpの大きさに応じて反力ゲインＧの値及びバネ係数Ｋの値を大きくすることで、より一層高い剛性の操舵特性となるように基本ピニオン角成分θp_base*を演算するようにした。これにより、運転支援制御による転舵についてより高い応答性を実現できる。
【００７０】
なお、上記各実施形態は、これを適宜変更した以下の態様にて実施することもできる。
・上記第２実施形態において、運転支援ピニオン角成分θp_adas*とピニオン角θpとの差分に応じた反力ゲインＧの値の増加傾向とバネ係数Ｋの値の増加傾向とが異なっていてもよい。
【００７１】
・上記第２実施形態では、運転支援ピニオン角成分θp_adas*とピニオン角θpとの差分Δθpの絶対値が閾値Δθth以上となった場合に、反力ゲインＧの値及びバネ係数Ｋの値の双方を差分Δθpに応じて大きくしたが、これに限らず、いずれか一方のみを差分Δθpに応じて大きくしてもよい。
【００７２】
・上記各実施形態では、反力成分演算部７３は、ピニオン角θpと運転支援ピニオン角成分θp_adas*との差分Δθpに基づいて、反力成分Ｔc*を演算したが、これに限らず、ピニオン角θpのみに基づいて反力成分Ｔc*を演算してもよい。
【００７３】
・上記各実施形態において、反力成分演算部７３がヒステリシス特性を有さないように反力成分Ｔc*を演算してもよい。また、切り込み操舵時と切り戻し操舵時とでピニオン角θp（差分Δθp）に対する反力成分Ｔc*の特性が同一となるように演算してもよい。
【００７４】
・上記各実施形態では、基本ピニオン角成分演算部８２は、理想モデルを用いて基本ピニオン角成分θp_base*を演算したが、これに限らず、例えばマップ演算により基本ピニオン角成分θp_base*を演算してもよい。
【００７５】
・上記各実施形態では、運転支援制御の優先時に反力ゲインＧを大きくするとともに、バネ係数Ｋを大きくしたが、これに限らず、例えば反力ゲインＧ及びバネ係数Ｋのいずれか一方のみを大きくしてもよい。また、ピニオン角θpの変化に対する操舵反力の変化の割合が大きくなるように基本ピニオン角成分θp_base*が演算されれば、反力ゲインＧ及びバネ係数Ｋ以外のパラメータを変化させてもよい。
【００７６】
・上記各実施形態では、転舵輪３の転舵角に換算可能な回転軸の回転角としてピニオン角θpを用いたが、例えばステアリングホイール２の操舵角等の他の角度を用いてもよい。
【００７７】
・上記実施形態において、慣性係数Ｊ、粘性係数Ｃ及びバネ係数Ｋを車速Ｖに応じて変更してもよい。
・上記各実施形態では、運転支援制御として、レーンキープアシスト制御を実行したが、これに限らず、例えば車庫入れなどの駐車の際に運転者の操舵を補助するパーキングアシスト制御や自動で操舵を行う自動操舵制御等を実行してもよい。
【００７８】
・上記各実施形態では、操作スイッチ４４への操作入力により運転支援制御を優先するか否かの切り替えを行ったが、これに限らず、例えば運転支援制御装置４２が車両の走行状況に応じて運転支援制御を優先するか否かの判断を行い、その判断結果に応じて優先信号Ｓprを操舵制御装置６に出力するようにしてもよい。
【００７９】
・上記各実施形態では、ＥＰＳアクチュエータ５としてモータ２１の回転を変換機構２３によりラック軸１２の往復動に変換することで操舵機構４にアシスト力を付与するものを採用したが、これに限らず、例えばウォームアンドホイール等の減速機構を介してコラム軸１４等にアシスト力を付与するものを採用してもよい。
【００８０】
・上記各実施形態では、制御対象となる操舵装置としてＥＰＳ１を採用したが、これに限らず、例えばステアバイワイヤ（ＳＢＷ）方式の操舵装置を採用してもよい。
【符号の説明】
【００８１】
１…ＥＰＳ（電動パワーステアリング装置、操舵装置）、３…転舵輪、４…操舵機構、５…ＥＰＳアクチュエータ（アクチュエータ）、６…操舵制御装置、１１…ステアリングシャフト、１２…ラック軸（転舵軸）、１６…ピニオン軸、２１…モータ、２４…トーションバー、４２…運転支援制御装置、４４…操作スイッチ、５１…マイコン、５２…駆動回路、６１…アシスト指令値演算部、６２…電流指令値演算部、６３…モータ制御信号生成部、６４…ピニオン角演算部、７１…基本アシスト成分演算部、７２…位相補償制御部、７３…反力成分演算部、７４…反力ゲイン演算部、７８…ピニオン角指令値演算部（回転角指令値演算部）、８１…加算器（入力トルク演算部）、８２…基本ピニオン角成分演算部（基本回転角成分演算部）、８３…慣性制御演算部、８４…粘性制御演算部、８５…バネ特性制御演算部、９１…ピニオン角Ｆ／Ｂ制御部（第２トルク成分演算部）、Ｃ…粘性係数、Ｇ…反力ゲイン、Ｇlim…上限値、Ｊ…慣性係数、Ｋ…バネ係数、Ｖ…車速、θm…モータ角、Ｓpr…優先信号、Ｔh…操舵トルク、Ｔa*…アシスト指令値（トルク指令値）、Ｔc*，Ｔc**…反力成分、Ｔp*…入力トルク、Ｔa1*…第１アシスト成分（第１トルク成分）、Ｔa2*…第２アシスト成分（第２トルク成分）、Ｔas*…基本アシスト成分、Ｔsp*…バネ成分、Ｔvi*…粘性成分、Δθth…閾値、θp…ピニオン角、Δθp…差分、θp*…ピニオン角指令値、θp_adas*…運転支援ピニオン角成分（運転支援回転角成分）、θp_base*…基本ピニオン角成分（基本回転角成分）。
【図１】
2019025961.tif 000003
【図２】
2019025961.tif 000004
【図３】
2019025961.tif 000005
【図４】
2019025961.tif 000006
【図５】
2019025961.tif 000007
【図６】
2019025961.tif 000008
【図７】
2019025961.tif 000009
【図８】
2019025961.tif 000010
【図９】
2019025961.tif 000011
【図１０】
2019025961.tif 000012
【図１１】
2019025961.tif 000013